(57)【特許請求の範囲】
【請求項１】
ボディーを含み、前記ボディーの中にはＴ型空間が設置され、前記Ｔ型空間の中には土地掘り返し機構が設置され、前記土地掘り返し機構は前記Ｔ型空間のうち底部に近接したところに固定的に設置された固定板を含み、前記固定板が前後対称に設置され、前後対称の二つの前記固定板の間には土地掘り返し回転輪が回転できるように設置され、前記土地掘り返し回転輪が土地を掘り返すことができ、前記Ｔ型空間の右側には雑草収集箱がスライドできるように設置され、前記雑草収集箱の右側が開口されており、前記雑草収集箱の中に雑草を貯蔵でき、前記雑草収集箱の右側には収納空間が設置され、前記収納空間の底部が開口されており、前記収納空間の中には雑草吸い機構が設置され、前記雑草吸い機構は雑草入り升を含み、前記雑草入り升が雑草を前記雑草収集箱の中に吸い込むことができ、前記収納空間の右側には長スライド空間が設置され、前記長スライド空間の中には草刈り機構が設置され、前記草刈り機構は回転できるように設置された第一草刈り刃を含み、前記長スライド空間の中には長スライダがスライドできるように設置され、前記長スライダの底面には第二草刈り刃が固定的に設置され、前記第一草刈り刃の回転で、且つ前記第二草刈り刃との協働を通じて雑草を刈られ、前記ボディーの右側面には固定ブロックが固定的に設置され、前記固定ブロックの中には駆動機構が設置され、前記駆動機構が装置全体を駆動して進行させることができ、
前記Ｔ型空間の後側には動力空間が設置され、前記動力空間の右側が前記長スライド空間の後側のうち上部に近接した位置に延在し、前記動力空間と前記Ｔ型空間との間には前後に伸びた従動軸が回転できるように設置され、前記従動軸の後側の延伸部分が前記動力空間の中に延在し、且つ前記動力空間の中に位置している前記従動軸の部分の外周には伝動プーリが固定的に設置され、前記従動軸の前側末端には前記Ｔ型空間の中に位置している従動プーリが固定的に設置され、前記従動プーリと前記土地掘り返し回転輪とが第一ベルトにより連結され、
前記Ｔ型空間の左側には滑走空間が設置され、前記滑走空間の底部が開口されており、前記滑走空間の中には矩形スライダがスライドできるように設置され、前記矩形スライダの底部には小型ローラーが回転できるように設置され、前記矩形スライダの頂面と前記滑走空間の頂壁との間には第一ばねが装着され、前記ボディーの左側面には二つの手すりが固定的に設置され、
前記雑草入り升と前記雑草収集箱とが連通するように設計され、前記雑草収集箱と前記雑草入り升との連通部には空気圧縮ポンプが固定的に設置され、前記収納空間の中には揺れ動き板が回転できるように設置され、前記雑草入り升の底部が前記揺れ動き板を貫通し、且つ前記雑草入り升と前記揺れ動き板とが固定するように設置され、前記揺れ動き板と前記収納空間の頂壁との間には第二ばねが装着され、
前記長スライド空間の頂部には矩形空間が設置され、前記矩形空間と前記動力空間との間には前後に伸びた動力軸が回転できるように設置され、前記動力空間の後壁の中には動力モータが固定的に嵌設され、前記動力モータと前記動力軸の後側延伸部分とが伝動できるように連結され、前記動力空間の中に位置している前記動力軸の部分の外周には動力プーリが固定的に設置され、前記動力プーリと前記伝動プーリとが第二ベルトにより連結され、前記動力軸の前側末端には前記矩形空間の中に位置している動力ベベルギヤが固定的に設置され、
前記長スライド空間と前記矩形空間との間にはスプラインスリーブが回転できるように設置され、前記スプラインスリーブの頂面には従動ベベルギヤが固定的に設置され、前記従動ベベルギヤと前記動力ベベルギヤとが噛み合い、前記長スライダの中にはスプライン軸が回転できるように設置され、前記スプライン軸の底面が前記第二草刈り刃を貫通し、且つ前記第一草刈り刃と固定され、前記スプライン軸の頂部延伸部分と前記スプラインスリーブとがスプラインにより連結され、
長スライド空間の左側壁体には短スライド溝が形成され、前記短スライド溝の中にはネジ山ブロックがスライドできるように設置され、前記ネジ山ブロックの右側と前記長スライダとが固定され、前記短スライド溝の頂部にはベルト空間が設置され、前記ベルト空間と前記短スライド溝との間にはスクリュー軸が回転できるように設置され、前記スクリュー軸の底部延伸部分と前記ネジ山ブロックとがネジ山により連結され、前記スクリュー軸の頂部末端には前記ベルト空間の中に位置している第一プーリが固定的に設置され、前記ベルト空間の頂壁の中には小型モータが固定的に設置され、前記小型モータの底面には縦軸が伝動できるように設置され、前記縦軸の底部端には第一ベベルギヤが固定的に設置され、前記収納空間の頂壁の中には第二ベベルギヤが回転できるように設置され、前記第二ベベルギヤと前記揺れ動き板とが引き糸により連結され、前記縦軸の外周には第二プーリが固定的に設置され、前記第二プーリと前記第一プーリとが第三ベルトにより連結され、
前記駆動機構は前記固定ブロックの底部に固定的に設置された二つの支持ブロックを含み、二つの前記支持ブロックが前後対称に設置され、二つの前記支持ブロックの間には進行輪が回転できるように設置され、前記固定ブロックの中には駆動モータが固定的に設置され、前記駆動モータの前側には駆動輪が伝動できるように連結され、前記駆動輪と前記進行輪とは駆動ベルトにより連結されていることを特徴とする温室ビニールハウス用の雑草処理と土地掘り返しの設備。
【発明の詳細な説明】
【技術分野】
【０００１】
本発明は温室栽培技術分野を取り上げて、具体的には温室ビニールハウス用の雑草処理と土地掘り返しの設備である。
【背景技術】
【０００２】
人々の生活水準の向上につれ、食材に対する要求が高まり、たくさんの野菜がビニールハウスの中で栽培され、これにより市場の需要に応じられる。
ビニールハウスの中で野菜を栽培すると、雑草処理と土地掘り返しの作業を行う必要があり、しかし、伝統的な除草機と田打車とは体積が大きく、コストが高く、小型の温室ビニールハウスに適用されなく、また伝統的なビニールトンネル用の小型田打車が主に人力に頼り、使用が不便である。
【先行技術文献】
【特許文献】
【０００３】
【特許文献１】中国特許出願公開第１０３３８５０４３号明細書
【発明の概要】
【発明が解決しようとする課題】
【０００４】
本発明は温室ビニールハウス用の雑草処理と土地掘り返しの設備を提供し、従来技術における上記欠点を解消することを目的とする。
【課題を解決するための手段】
【０００５】
本発明の温室ビニールハウス用の雑草処理と土地掘り返しの設備は、ボディーを含み、前記ボディーの中にはＴ型空間が設置され、前記Ｔ型空間の中には土地掘り返し機構が設置され、前記土地掘り返し機構は前記Ｔ型空間のうち底部に近接したところに固定的に設置された固定板を含み、前記固定板が前後対称に設置され、前後対称の二つの前記固定板の間には土地掘り返し回転輪が回転できるように設置され、前記土地掘り返し回転輪が土地を掘り返すことができ、前記Ｔ型空間の右側には雑草収集箱がスライドできるように設置され、前記雑草収集箱の右側が開口されており、前記雑草収集箱の中に雑草を貯蔵でき、前記雑草収集箱の右側には収納空間が設置され、前記収納空間の底部が開口されており、前記収納空間の中には雑草吸い機構が設置され、前記雑草吸い機構は雑草入り升を含み、前記雑草入り升が雑草を前記雑草収集箱の中に吸い込むことができ、前記収納空間の右側には長スライド空間が設置され、前記長スライド空間の中には草刈り機構が設置され、前記草刈り機構は回転できるように設置された第一草刈り刃を含み、前記長スライド空間の中には長スライダがスライドできるように設置され、前記長スライダの底面には第二草刈り刃が固定的に設置され、前記第一草刈り刃の回転で、且つ前記第二草刈り刃との協働を通じて雑草を刈られ、前記ボディーの右側面には固定ブロックが固定的に設置され、前記固定ブロックの中には駆動機構が設置され、前記駆動機構が装置全体を駆動して進行させることができる。
【０００６】
更の技術プランとしては、前記Ｔ型空間の後側には動力空間が設置され、前記動力空間の右側が前記長スライド空間の後側のうち上部に近接した位置に延在し、前記動力空間と前記Ｔ型空間との間には前後に伸びた従動軸が回転できるように設置され、前記従動軸の後側の延伸部分が前記動力空間の中に延在し、且つ前記動力空間の中に位置している前記従動軸の部分の外周には伝動プーリが固定的に設置され、前記従動軸の前側末端には前記Ｔ型空間の中に位置している従動プーリが固定的に設置され、前記従動プーリと前記土地掘り返し回転輪とが第一ベルトにより連結されている。
【０００７】
更の技術プランとしては、前記Ｔ型空間の左側には滑走空間が設置され、前記滑走空間の底部が開口されており、前記滑走空間の中には矩形スライダがスライドできるように設置され、前記矩形スライダの底部には小型ローラーが回転できるように設置され、前記矩形スライダの頂面と前記滑走空間の頂壁との間には第一ばねが装着され、前記ボディーの左側面には二つの手すりが固定的に設置されている。
【０００８】
更の技術プランとしては、前記雑草入り升と前記雑草収集箱とが連通するように設計され、前記雑草収集箱と前記雑草入り升との連通部には空気圧縮ポンプが固定的に設置され、前記収納空間の中には揺れ動き板が回転できるように設置され、前記雑草入り升の底部が前記揺れ動き板を貫通し、且つ前記雑草入り升と前記揺れ動き板とが固定するように設置され、前記揺れ動き板と前記収納空間の頂壁との間には第二ばねが装着されている。
【０００９】
更の技術プランとしては、前記長スライド空間の頂部には矩形空間が設置され、前記矩形空間と前記動力空間との間には前後に伸びた動力軸が回転できるように設置され、前記動力空間の後壁の中には動力モータが固定的に嵌設され、前記動力モータと前記動力軸の後側延伸部分とが伝動できるように連結され、前記動力空間の中に位置している前記動力軸の部分の外周には動力プーリが固定的に設置され、前記動力プーリと前記伝動プーリとが第二ベルトにより連結され、前記動力軸の前側末端には前記矩形空間の中に位置している動力ベベルギヤが固定的に設置されている。
【００１０】
更の技術プランとしては、前記長スライド空間と前記矩形空間との間にはスプラインスリーブが回転できるように設置され、前記スプラインスリーブの頂面には従動ベベルギヤが固定的に設置され、前記従動ベベルギヤと前記動力ベベルギヤとが噛み合い、前記長スライダの中にはスプライン軸が回転できるように設置され、前記スプライン軸の底面が前記第二草刈り刃を貫通し、且つ前記第一草刈り刃と固定され、前記スプライン軸の頂部延伸部分と前記スプラインスリーブとがスプラインにより連結されている。
【００１１】
更の技術プランとしては、長スライド空間の左側壁体には短スライド溝が形成され、前記短スライド溝の中にはネジ山ブロックがスライドできるように設置され、前記ネジ山ブロックの右側と前記長スライダとが固定され、前記短スライド溝の頂部にはベルト空間が設置され、前記ベルト空間と前記短スライド溝との間にはスクリュー軸が回転できるように設置され、前記スクリュー軸の底部延伸部分と前記ネジ山ブロックとがネジ山により連結され、前記スクリュー軸の頂部末端には前記ベルト空間の中に位置している第一プーリが固定的に設置され、前記ベルト空間の頂壁の中には小型モータが固定的に設置され、前記小型モータの底面には縦軸が伝動できるように設置され、前記縦軸の底部端には第一ベベルギヤが固定的に設置され、前記収納空間の頂壁の中には第二ベベルギヤが回転できるように設置され、前記第二ベベルギヤと前記揺れ動き板とが引き糸により連結され、前記縦軸の外周には第二プーリが固定的に設置され、前記第二プーリと前記第一プーリとが第三ベルトにより連結されている。
【００１２】
更の技術プランとしては、前記駆動機構は前記固定ブロックの底部に固定的に設置された二つの支持ブロックを含み、二つの前記支持ブロックが前後対称に設置され、二つの前記支持ブロックの間には進行輪が回転できるように設置され、前記固定ブロックの中には駆動モータが固定的に設置され、前記駆動モータの前側には駆動輪が伝動できるように連結され、前記駆動輪と前記進行輪とは駆動ベルトにより連結されている。
【発明の効果】
【００１３】
本発明の雑草処理と土地掘り返しの設備は、除草と、収集と、土地掘り返しとの機能を一体にし、機能を多様にさせ、多種類の設備を同時に使用して作業を行う必要がなく、コストを下げ、また本発明の設備の駆動機構がモータによって駆動されるため、人力で手すりを握ることだけで進行方向をコントロールでき、労働力を大いに省き、これにより雑草処理と土地掘り返しとが更に簡単になり、本発明は構成が簡単で、伝動が安定で、操作が便利で、体積が小さく、ビニールハウスの中で簡単に使用でき、普及する価値がある。
【図面の簡単な説明】
【００１４】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の温室ビニールハウス用の雑草処理と土地掘り返しの設備の内部全体構成模式図
【図２】図２は図１におけるＡの部分拡大模式図
【図３】図３は本発明の駆動モータの上面図
【図４】図４は本発明の動力空間の上面図
【発明を実施するための形態】
【００１６】
図１〜４を参照し、本発明の実施例の温室ビニールハウス用の雑草処理と土地掘り返しの設備は、ボディー１０を含み、前記ボディー１０の中にはＴ型空間１８が設置され、前記Ｔ型空間１８の中には土地掘り返し機構７１が設置され、前記土地掘り返し機構７１は前記Ｔ型空間１８のうち底部に近接したところに固定的に設置された固定板１９を含み、前記固定板１９が前後対称に設置され、前後対称の二つの前記固定板１９の間には土地掘り返し回転輪２０が回転できるように設置され、前記土地掘り返し回転輪２０が土地を掘り返すことができ、前記Ｔ型空間１８の右側には雑草収集箱２１がスライドできるように設置され、前記雑草収集箱２１の右側が開口されており、前記雑草収集箱２１の中に雑草を貯蔵でき、前記雑草収集箱２１の右側には収納空間４１が設置され、前記収納空間４１の底部が開口されており、前記収納空間４１の中には雑草吸い機構７２が設置され、前記雑草吸い機構７２は雑草入り升４３を含み、前記雑草入り升４３が雑草を前記雑草収集箱２１の中に吸い込むことができ、前記収納空間４１の右側には長スライド空間４０が設置され、前記長スライド空間４０の中には草刈り機構７３が設置され、前記草刈り機構７３は回転できるように設置された第一草刈り刃３７を含み、前記長スライド空間４０の中には長スライダ３９がスライドできるように設置され、前記長スライダ３９の底面には第二草刈り刃３８が固定的に設置され、前記第一草刈り刃３７の回転で、且つ前記第二草刈り刃３８との協働を通じて雑草を刈られ、前記ボディー１０の右側面には固定ブロック３１が固定的に設置され、前記固定ブロック３１の中には駆動機構７４が設置され、前記駆動機構７４が装置全体を駆動して進行させることができる。
【００１７】
有益なまた例を示すように、前記Ｔ型空間１８の後側には動力空間６２が設置され、前記動力空間６２の右側が前記長スライド空間４０の後側のうち上部に近接した位置に延在し、前記動力空間６２と前記Ｔ型空間１８との間には前後に伸びた従動軸１６が回転できるように設置され、前記従動軸１６の後側の延伸部分が前記動力空間６２の中に延在し、且つ前記動力空間６２の中に位置している前記従動軸１６の部分の外周には伝動プーリ６０が固定的に設置され、前記従動軸１６の前側末端には前記Ｔ型空間１８の中に位置している従動プーリ６５が固定的に設置され、前記従動プーリ６５と前記土地掘り返し回転輪２０とが第一ベルト１７により連結され、前記従動軸１６の回転により前記従動プーリ６５が前記土地掘り返し回転輪２０を回転連動させ、これにより前記土地掘り返し回転輪２０が土地に掘り返す作業を行う。
【００１８】
有益なまた例を示すように、前記Ｔ型空間１８の左側には滑走空間１２が設置され、前記滑走空間１２の底部が開口されており、前記滑走空間１２の中には矩形スライダ１４がスライドできるように設置され、前記矩形スライダ１４の底部には小型ローラー１５が回転できるように設置され、前記矩形スライダ１４の頂面と前記滑走空間１２の頂壁との間には第一ばね１３が装着され、前記ボディー１０の左側面には二つの手すり１１が固定的に設置され、土地を掘り返す時に、前記手すり１１をつかむことで、前記矩形スライダ１４が上方へやや移動し、これにより前記土地掘り返し回転輪２０が地面に密着して土地を掘り返す。
【００１９】
有益なまた例を示すように、前記雑草入り升４３と前記雑草収集箱２１とが連通するように設計され、前記雑草収集箱２１と前記雑草入り升４３との連通部には空気圧縮ポンプ２３が固定的に設置され、前記収納空間４１の中には揺れ動き板４２が回転できるように設置され、前記雑草入り升４３の底部が前記揺れ動き板４２を貫通し、且つ前記雑草入り升４３と前記揺れ動き板４２とが固定するように設置され、前記揺れ動き板４２と前記収納空間４１の頂壁との間には第二ばね５２が装着され、前記揺れ動き板４２の揺れ動きで前記雑草入り升４３が前記収納空間４１に収納される又は前記収納空間４１から伸び出ることができる。
【００２０】
有益なまた例を示すように、前記長スライド空間４０の頂部には矩形空間２６が設置され、前記矩形空間２６と前記動力空間６２との間には前後に伸びた動力軸２８が回転できるように設置され、前記動力空間６２の後壁の中には動力モータ６３が固定的に嵌設され、前記動力モータ６３と前記動力軸２８の後側延伸部分とが伝動できるように連結され、前記動力空間６２の中に位置している前記動力軸２８の部分の外周には動力プーリ６４が固定的に設置され、前記動力プーリ６４と前記伝動プーリ６０とが第二ベルト６１により連結され、前記動力軸２８の前側末端には前記矩形空間２６の中に位置している動力ベベルギヤ２７が固定的に設置され、前記動力モータ６３の作動で前記動力軸２８が回転し、更に前記従動軸１６が回転し、これにより前記土地掘り返し回転輪２０は駆動されて土地掘り返しを行う。
【００２１】
有益なまた例を示すように、前記長スライド空間４０と前記矩形空間２６との間にはスプラインスリーブ３０が回転できるように設置され、前記スプラインスリーブ３０の頂面には従動ベベルギヤ２９が固定的に設置され、前記従動ベベルギヤ２９と前記動力ベベルギヤ２７とが噛み合い、前記長スライダ３９の中にはスプライン軸５８が回転できるように設置され、前記スプライン軸５８の底面が前記第二草刈り刃３８を貫通し、且つ前記第一草刈り刃３７と固定され、前記スプライン軸５８の頂部延伸部分と前記スプラインスリーブ３０とがスプラインにより連結され、前記動力ベベルギヤ２７の回転で前記スプラインスリーブ３０が回転し、更に前記スプライン軸５８を回転連動させ、これにより前記第一草刈り刃３７は回転して草を刈る。
【００２２】
有益なまた例を示すように、長スライド空間４０の左側壁体には短スライド溝５６が形成され、前記短スライド溝５６の中にはネジ山ブロック５５がスライドできるように設置され、前記ネジ山ブロック５５の右側と前記長スライダ３９とが固定され、前記短スライド溝５６の頂部にはベルト空間４５が設置され、前記ベルト空間４５と前記短スライド溝５６との間にはスクリュー軸５７が回転できるように設置され、前記スクリュー軸５７の底部延伸部分と前記ネジ山ブロック５５とがネジ山により連結され、前記スクリュー軸５７の頂部末端には前記ベルト空間４５の中に位置している第一プーリ４８が固定的に設置され、前記ベルト空間４５の頂壁の中には小型モータ４４が固定的に設置され、前記小型モータ４４の底面には縦軸４９が伝動できるように設置され、前記縦軸４９の底部端には第一ベベルギヤ５０が固定的に設置され、前記収納空間４１の頂壁の中には第二ベベルギヤ５１が回転できるように設置され、前記第二ベベルギヤ５１と前記揺れ動き板４２とが引き糸５３により連結され、前記縦軸４９の外周には第二プーリ４６が固定的に設置され、前記第二プーリ４６と前記第一プーリ４８とが第三ベルト４７により連結され、前記小型モータ４４の作動で前記縦軸４９が回転し、更に前記第一ベベルギヤ５０が前記第二ベベルギヤ５１を回転連動させ、更に前記揺れ動き板４２を開ける又は収容し、更に前記スクリュー軸５７が前記ネジ山ブロック５５を連動させて上下に移動させ、これにより前記第二草刈り刃３８が上下に移動できる。
【００２３】
有益なまた例を示すように、前記駆動機構７４は前記固定ブロック３１の底部に固定的に設置された二つの支持ブロック３６を含み、二つの前記支持ブロック３６が前後対称に設置され、二つの前記支持ブロック３６の間には進行輪３５が回転できるように設置され、前記固定ブロック３１の中には駆動モータ５９が固定的に設置され、前記駆動モータ５９の前側には駆動輪３２が伝動できるように連結され、前記駆動輪３２と前記進行輪３５とは駆動ベルト３４により連結され、前記駆動モータ５９を制御して作動させることで、前記駆動輪３２が前記進行輪３５を回転連動させ、これにより装置を進行させる。
【００２４】
使用する時に、手で前記手すり１１をつかみ、そして下方へ少し手すり１１を押し、土地掘り返し回転輪２０を地面と当接させ、この時に小型モータ４４を制御して作動させ、縦軸４９を回転させ、更に第二ベベルギヤ５１が引き糸５３を緩め、揺れ動き板４２が第二ばね５２の作用のもとで下方へ移動し、雑草入り升４３を開けられるようにし、且つスクリュー軸５７を回転させ、ネジ山ブロック５５を下方へ移動させ、長スライダ３９を下方へ移動させ、更に第一草刈り刃３７と第二草刈り刃３８とが下方へ移動し、そして動力モータ６３を制御して作動させ、これにより動力軸２８を回転させ、更に動力プーリ６４が伝動プーリ６０を回転連動させ、従動軸１６が回転し、従動プーリ６５を回転させ、従動プーリ６５が土地掘り返し回転輪２０を回転連動させ、これにより土地掘り返し回転輪２０が土地を掘り返し、動力軸２８が動力ベベルギヤ２７を回転連動させ、これにより従動ベベルギヤ２９が回転し、スプラインスリーブ３０がスプライン軸５８を回転連動させ、第一草刈り刃３７が回転し、第一草刈り刃３７と第二草刈り刃３８とを協働させて草を刈らせ、そして空気圧縮ポンプ２３を制御して作動させ、草を雑草収集箱２１の中に収集し、そして駆動モータ５９を制御して作動させ、これにより駆動輪３２が進行輪３５を回転連動させ、これにより進行を実現できる。
【００２５】
本発明の雑草処理と土地掘り返しの設備は、除草と、収集と、土地掘り返しとの機能を一体にし、機能を多様にさせ、多種類の設備を同時に使用して作業を行う必要がなく、コストを下げ、また本発明の設備の駆動機構がモータによって駆動されるため、人力で手すりを握ることだけで進行方向をコントロールでき、労働力を大いに省き、これにより雑草処理と土地掘り返しとが更に簡単になり、本発明は構成が簡単で、伝動が安定で、操作が便利で、体積が小さく、ビニールハウスの中で簡単に使用でき、普及する価値がある。
【００２６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【要約】
【課題】本発明は温室ビニールハウス用の雑草処理と土地掘り返しの設備を開示した。
【解決手段】
ボディーを含み、前記ボディーの中にはＴ型空間が設置され、前記Ｔ型空間の中には土地掘り返し機構が設置され、前記土地掘り返し機構は前記Ｔ型空間のうち底部に近接したところに固定的に設置された固定板を含み、前記固定板が前後対称に設置され、前後対称の二つの前記固定板の間には土地掘り返し回転輪が回転できるように設置され、前記土地掘り返し回転輪が土地を掘り返すことができ、前記Ｔ型空間の右側には雑草収集箱がスライドできるように設置され、本発明は、除草と、収集と、土地掘り返しとの機能を一体にし、機能を多様にさせ、多種類の設備を同時に使用して作業を行う必要がなく、コストを下げ、また本発明の設備の駆動機構がモータによって駆動され、労働力を大いに省く。
【選択図】図１【図１】
0006784880.tif 000002
【図２】
0006784880.tif 000003
【図３】
0006784880.tif 000004
【図４】
0006784880.tif 000005